(57)【要約】 核酸２重鎖を簡易且つ迅速に検出することができる新規な用途を有するカチオン性色素化合物、それを用いた検出方法等を提供する。本発明は、カチオン基、及び該カチオン基と連結した色素体を含んでなるカチオン性色素化合物であって、その色素体は、窒素原子を含む複素多環構造を母体とするものであり、核酸２重鎖上に螺旋状に結合するものであることを特徴とする、核酸２重鎖を検出するためのカチオン性色素化合物に関する。【選択図】  なし【特許請求の範囲】
【請求項１】
カチオン基、及び該カチオン基と連結した色素体を含んでなるカチオン性色素化合物であって、その色素体は、窒素原子を含む複素多環構造を有し、該カチオン基は、核酸２重鎖上に結合可能であることを特徴とする、核酸２重鎖を検出するためのカチオン性色素化合物。
【請求項２】
下記一般式（Ｉ）：
Ｘ−（Ｙ−Ｚ）ｎ        （Ｉ）
（式中、ｎは１〜１２、Ｘは少なくとも４つのピロール環を有する色素体、Ｙは連結基或いはＸとＺの間の直接結合、Ｚはカチオン性の官能基あるいはカチオン性に変換し得る官能基である。）
で表される、請求項１に記載のカチオン性色素化合物。
【請求項３】
前記色素体が、ポルフィリン、ポルフィリン誘導体、フタロシアニン、及びフタロシアニン誘導体からなる群から選択される、請求項１又は２に記載のカチオン性色素化合物。
【請求項４】
カチオン性色素化合物を使用することによりハイブリッド核酸を検出する方法であって、下記の工程：
カチオン基と、該カチオン基と連結した色素体とを含んでなるカチオン性色素化合物を提供する工程、ここで、該色素体は、窒素原子を含む複素多環構造を有する；
核酸プローブと、標的核酸を含む試料とをハイブリダイゼーション条件下で接触させて、該核酸プローブと標的核酸とのハイブリッド核酸を形成させる工程；
該カチオン性色素化合物を、該ハイブリダイゼーションの前、ハイブリダイゼーション中、又はハイブリダイゼーション後に添加することにより、該ハイブリッド核酸上に該カチオン性色素化合物を結合させる工程；及び
該ハイブリッド核酸上に結合した該カチオン性色素化合物の分光学的特性を測定する工程：
を含んでなる方法。
【請求項５】
前記カチオン性色素化合物が下記一般式（Ｉ）：
Ｘ−（Ｙ−Ｚ）ｎ        （Ｉ）
（式中、ｎは１〜１２、Ｘは少なくとも４つのピロール環を有する色素体、Ｙは連結基或いはＸとＺの間の直接結合、Ｚはカチオン性の官能基あるいはカチオン性に変換し得る官能基である）
で表される、請求項４に記載の方法。
【請求項６】
前記色素体が、ポルフィリン、ポルフィリン誘導体、フタロシアニン、及びフタロシアニン誘導体からなる群から選択される、請求項４に記載の方法。
【請求項７】
前記標的核酸或いは前記核酸プローブを有する検出対象物を固相担体上に固定し、前記検出対象物と前記核酸プローブとをハイブリダイゼーション条件下で接触させる工程、をさらに含む請求項４に記載の方法。
【請求項８】
カチオン性色素化合物を使用することによりハイブリッド核酸を検出する装置であって、
核酸プローブと、標的核酸を含む試料とをハイブリダイゼーション条件下で接触させて、該核酸プローブと該標的核酸とのハイブリッド核酸を形成させる手段；
カチオン性色素化合物を、該ハイブリダイゼーションの前、ハイブリダイゼーション中、又はハイブリダイゼーション後に添加することにより、該ハイブリッド核酸上に該カチオン性色素化合物を結合させる手段、ここで、該カチオン性色素化合物は、カチオン基と、該カチオン基と連結した色素体とを含んでなり、該色素体は、窒素原子を含む複素多環構造を有する；及び
該ハイブリッド核酸上に結合した該カチオン性色素化合物の分光学的特性を測定する手段：
を含んでなる上記装置。
【発明の詳細な説明】
【技術分野】
【０００１】
本発明は、オリゴヌクレオチドもしくはポリヌクレオチドのハイブリッド形成体のような核酸２重鎖を検出するためのカチオン性色素化合物、及び該カチオン性色素化合物を使用して試料中の核酸２重鎖を分光学的に検出する方法並びに装置に関する。
【背景技術】
【０００２】
従来、ハイブリダイゼーション法に基づく遺伝子解析においては、プローブ核酸に対して標的核酸を相互作用させ、配列の相補的な標的核酸を抽出し、検出を行っている。この際に、通常は標的核酸に対して検出可能な基によって標識し、ハイブリッドの存在を検出することにより、標的核酸の有無、あるいは存在量を解析している。ハイブリダイゼーション法では、検出可能な基として放射性同位体元素での標識法や蛍光物質での標識法が知られている。しかし、検出可能な基をあらかじめ標識する調製は操作を複雑にする。さらに、放射線同位体元素による検出は、検出に長時間を要すること、解析が困難なことに加えて、取り扱いの安全性やコストの問題があり、また、蛍光物質による検出は、安全性や検出の迅速性は優れているが、蛍光物質が高価で、さらに蛍光物質の標識核酸への取り込み率が低いという問題がある。
【０００３】
さらに、あらかじめ検出可能な基を標識するための調製がいらない簡便な方法として、インターカレータを用いた検出方法がある。インターカレータには、相補性核酸に挿入することによって電気化学活性を発現するもの、蛍光を発光するものが知られている。特開平09-288082号公報には、出力端子を備えた電極上に固定されている核酸断片と標的核酸
とで形成されるハイブリッド核酸に結合した電気化学活性縫込み型インターカレータと電極との間を流れる電流量を測定することによって、標的核酸を検出する方法が開示されている。しかし、上記の電気化学的検出法は、感度の改良に電極の表面処理が必要になる。また、特開2001-289848号公報には、蛍光インターカレータを用いて、ハイブリッド核酸
の塩基対間に挿入結合したときの蛍光を検出する方法が示されている。一般に、水溶液中でのハイブリッド核酸へのインターカレータの挿入と脱離とは平衡関係にあるため、脱離状態のインターカレータからの蛍光が検出のバックグランドとなるが、本発明者は核酸との結合時にのみ蛍光が増強される蛍光物質のエンハンス効果を利用している。しかし、結合によるエンハンス効果は２重鎖核酸断片に限らず、１重鎖核酸断片においても生じるため、１重鎖核酸断片と蛍光インターカレータとの解離速度は２重鎖と比較して大きいが、蛍光検出のバックグランドとなり、S/Nを低下させる。
【０００４】
従来のサザンハイブリダイゼーション法においては、簡易性及び迅速性の点から電気化学活性縫込み型インターカレータや蛍光インターカレータを用いる検出法を用いて感度の改良がなされているが、インターカレータの塩基対に対する挿入比率には限界があり感度の向上が難しいこと、また、インターカレータの挿入比率には塩基対の配列が影響するため定量性が悪いこと、さらに、水溶液中でのインターカレータのハイブリッド複合体への挿入と脱離とは平衡関係にあるため、蛍光法においては脱離状態の蛍光インターカレータや、１重鎖核酸と結合したインターカレータの蛍光により、十分なS/Nが達成できないと
いう欠点を持っていた。
【０００５】
上記のように種々の検出方法が検討されているが、いずれも、特定の遺伝子配列の有無を検出するためには、検体から取り出したDNAを制限酵素でフラグメント化したのち、電
気泳動等の手法により、サイズにより分画し、被験DNAをニトロセルロースペーパー等に
固定化せねばならず煩雑であるという問題もある。
【０００６】
本発明は、上記の問題点の解決を目的とするものであり、核酸プローブとそれに相補的な標的核酸とのハイブリットのような核酸２重鎖を簡易且つ迅速に検出することができる新規な用途を有するカチオン性色素化合物、それを用いた検出方法等を提供することを課題とする。
［図面の簡単な説明］
図１ａは、本発明のカチオン性色素化合物の分子構造を例示した図である。
図１ｂは、本発明のカチオン性色素化合物の合成方法を例示した図である。
図２は、本発明のカチオン性色素化合物が結合した状態の２重鎖ＤＮＡを示す模式図である。
図３は、２重鎖ＤＮＡのみを含む試料のＣＤスペクトルを示す線図である。
図４は、ポルフィリン誘導体カチオン性色素化合物のみを含む試料のＣＤスペクトルを示す線図である。
図５は、２重鎖ＤＮＡとポルフィリン誘導体カチオン性色素化合物とが共存する試料のＣＤスペクトルを示す線図である。
図６は、フタロシアニン誘導体カチオン性色素化合物のみを含む試料のＣＤスペクトルを示す線図である。
図７は、２重鎖ＤＮＡとフタロシアニン誘導体カチオン性色素化合物とが共存する試料のＣＤスペクトルを示す線図である。
［発明の要旨］
【０００７】
本発明者は、上記の問題点を解決するために鋭意研究を重ねた結果、カチオン性色素化合物が核酸２重鎖構造上に結合すると分光学的特性（一定のキラリティー（光学活性）及び波長シフト等を含む）が発現又は変化することを突き止め、例えば円偏光二色性の測定により核酸２重鎖の特異的検出が可能になることを見出し、本発明を完成させた。
【０００８】
すなわち、本発明は、カチオン基、及び該カチオン基と連結した色素体を含んでなるカチオン性色素化合物であって、その色素体は、窒素原子を含む複素多環構造を有し、、該カチオン基は、核酸２重鎖上に結合するものであることを特徴とする、核酸２重鎖を検出するためのカチオン性色素化合物に関する。
【０００９】
好ましい態様のカチオン性色素化合物は、下記一般式（Ｉ）：
【００１０】
Ｘ−（Ｙ−Ｚ）ｎ        （Ｉ）
【００１１】
（式中、ｎは１〜１２、Ｘは少なくとも４つのピロール環を有する色素体、Ｙは連結基あるいはＸとＺとの間の直接結合、Ｚはカチオン性の官能基あるいはカチオン性に変換し得る官能基である。）
で表される。
【００１２】
好ましいカチオン性色素化合物は、その色素体が、ポルフィリン、ポルフィリン誘導体、フタロシアニン、及びフタロシアニン誘導体からなる群から選択される。
また、カチオン性色素化合物を使用することによりハイブリッド核酸を検出する本発明の方法は、下記の工程：
カチオン基と、該カチオン基と連結した色素体とを含んでなるカチオン性色素化合物を提供する工程、ここで、該色素体は、窒素原子を含む複素多環構造を有する；
核酸プローブと、標的核酸を含む試料とをハイブリダイゼーション条件下で接触させて、該核酸プローブと標的核酸とのハイブリッド核酸を形成させる工程；
該カチオン性色素化合物を、該ハイブリダイゼーションの前、ハイブリダイゼーション中、又はハイブリダイゼーション後に添加することにより、該ハイブリッド核酸上に該カチオン性色素化合物を結合させる工程；及び
該ハイブリッド核酸上に結合した該カチオン性色素化合物の分光学的特性を測定する工程：
を含んでなる方法である。
【００１３】
本発明の方法において、カチオン性色素化合物が下記一般式（Ｉ）を有していてもよい：
Ｘ−（Ｙ−Ｚ）ｎ        （Ｉ）
（式中、ｎは１〜１２、Ｘは少なくとも４つのピロール環を有する色素体、Ｙは連結基或いはＸとＺの間の直接結合、Ｚはカチオン性の官能基あるいはカチオン性に変換し得る官能基である）。
さらに、本発明の方法は、前記標的核酸或いは前記核酸プローブを有する検出対象物を固相担体上に固定し、前記検出対象物と前記核酸プローブとをハイブリダイゼーション条件下で接触させる工程、をさらに含んでいてもよい。
さらに、本発明は、カチオン性色素化合物を使用することによりハイブリッド核酸を検出する装置であって、
核酸プローブと、標的核酸を含む試料とをハイブリダイゼーション条件下で接触させて、該核酸プローブと該標的核酸とのハイブリッド核酸を形成させる手段；
カチオン性色素化合物を、該ハイブリダイゼーションの前、ハイブリダイゼーション中、又はハイブリダイゼーション後に添加することにより、該ハイブリッド核酸上に該カチオン性色素化合物を結合させる手段、ここで、該カチオン性色素化合物は、カチオン基と、該カチオン基と連結した色素体とを含んでなり、該色素体は、窒素原子を含む複素多環構造を有する；及び
該ハイブリッド核酸上に結合した該カチオン性色素化合物の分光学的特性を測定する手段：
を含んでなる上記装置を提供する。  
【００１４】
用語の定義
本明細書において用いられる用語「核酸」とは、ＤＮＡ、ＲＮＡ又はその類縁体である天然または非天然のポリヌクレオチドのいずれでもよく、より詳しくは、塩基配列間の相
補性に基づく２重鎖を形成可能である限り、あらゆるオリゴヌクレオチド又はポリヌクレオチド誘導体もしくはそれら類縁体も含む。
【００１５】
本明細書において用いられる用語「核酸２重鎖」とは、前記のような同種又は異種の核酸により形成された２重螺旋状の核酸構造物を意味するが、より詳しくは、本発明のカチオン性色素化合物を少なくとも一部のリン酸基に結合させ、それらを当該螺旋構造上に規則的に隣接配置させ得る限り、他の高次構造を伴うあらゆる核酸構造体を含む。
【００１６】
また、前記核酸２重鎖は、それ自身が検出対象物であってもよいし、生体成分、生体関連物質、及びその他の低分子物質または高分子物質のような検出対象物の一部であってもよい。例えば、核酸２重鎖は、それらに限定されないが、他の核酸、ヌクレオチド、オリゴヌクレオチドとの連結体でもよいし、或いはホルモン、酵素、蛋白質、オリゴペプチド、ポリサッカライドなどの高分子物質のほか、薬剤、ステロイド、糖などの低分子物質との複合体でもよい。そのような検出対象物を含む試料の種類は、特に限定されず、例えば、ヒトを含む哺乳類動物から分離、採取した血液、尿、汗、組織片、臓器片、毛髪などの生体試料が挙げられ、それら検出対象物はin vivo、in vitro又はex vivoのいずれで検出されてもよい。
【００１７】
本明細書において用いられる用語「円偏光二色性」、「円二色性」又は「ＣＤ」とは、入射した平面偏光がキラリティーを持つ検出対象物を透過することによって楕円偏光に変化する性質をいい、測定波長によって変化する旋光度で表すことができる。一般に円二色性は、モル楕円率（＝Ｍθ／（ｌＣ）；この式中、θは楕円角、ｌはセル長、Ｃは濃度、及びＭは分子量）として求められる。
［発明の詳細な説明］
【００１８】
本発明の好ましい態様のカチオン性色素化合物は、下記一般式（Ｉ）で表される化合物である。すなわち、そのカチオン性色素化合物は、色素体Ｘと、これに連結する少なくとも１つのカチオン性官能基Ｚとを有する。
【００１９】
Ｘ−（Ｙ−Ｚ）ｎ        （Ｉ）
【００２０】
（式中、ｎは１〜１２、Ｘは色素体、Ｙは連結基あるいはＸとＺとの間の直接結合（すなわち、これは場合により用いられる）、Ｚはカチオン性の官能基あるいはカチオン性に変換し得る官能基である）
以下、上式中の各構造部分について具体的に説明するが、本発明のカチオン性色素化合物は図１に限定されるものではない。
【００２１】
色素体Ｘは、本発明のカチオン性色素化合物のコア部であり、平面性を有する環状基、又は縮合環を有する芳香族基でよいが、図１ａに示すように窒素原子を含む複素多環構造の芳香族基であることが特に好ましい。また、水溶性が確保できることを条件に、色素の平面性は２次元的に大きく拡がっていることが好ましい。また色素体Ｘは、そのような複素多環構造を母体とし、各種の置換基を有していてもよい。特に複素多環構造の色素体Ｘとしては、少なくとも４つのピロール環を有する色素体、例えば、ポルフィリンあるいはポルフィリン誘導体、フタロシアニンあるいはフタロシアニン誘導体が好ましく、中心金属は有っても無くてもよい。そのような色素体Ｘの特性として例えばポルフィリンのように紫外（ＵＶ）及び可視光（ＶＩＳ）領域の吸収をもつ色素が好ましく、更には、核酸の吸収帯域である２６０ｎｍ近傍と重複しない領域に吸収をもつことが好ましい。特に、ポルフィリン、フタロシアニン、ポルフィリン誘導体、あるいはフタロシアニン誘導体の吸収領域は、４００ｎｍ近傍にSoret帯の吸収があり、６００ｎｍ〜７００ｎｍ近傍にＱ帯の吸収があるため、好ましい。また、Soret帯およびＱ帯は色素の修飾により吸収波長を長波長側および短波長側に調整することが可能であり、この点においても好ましい。
【００２２】
カチオン性官能基Ｚは、図１ａのようにカチオン性の官能基あるいはカチオン性に変換し得る官能基を表す。そのようなカチオン性官能基は、−Ｎ，−Ｃ，−Ｓ，−Ｐ，−Ｏの各オニウムに代表される。ここで言うオニウムとはホスホニウム［Ｒ３ＰＲ’］＋、オキソニウム［Ｒ２ＯＲ’］＋、ヨードニウム［ＲＩＲ’］＋、スルホニウム［Ｒ２ＳＲ’］＋などの化学式で示される物質である。カチオン性官能基としては、特に４級（テトラアルキル）アンモニウム基又は４級アンモニウム基に変換し得る官能基が好ましい。置換された４級アンモニウム基としては、一般式；−Ｎ＋Ｒ１Ｒ２Ｒ３（式中、Ｒ１、Ｒ２及びＲ３は−（ＣＨ2）ｍＣＨ3であって、ｍは０〜２０、好ましくは０〜１０（０の場合はＨとなる）、より好ましくは０〜４である）が挙げられる。また、他の置換４級アンモニウム基としては、一般式；−Ｎ+Ｒ１Ｒ２（Ｃ2Ｈ4Ｏ）ｑＲ３（式中、ｑは１〜４である）で表される例えばポリエチレングリコールが挙げられる。また、前記官能基Ｚの数は、１つの色素体当たり１〜１２個、好ましくは１〜８個、より好ましくは１〜４個であり、さらに好ましくは、それら各範囲において２個以上の場合である。例えば、色素体がポルフィリンである場合、図１ａのポルフィリンにおいて１，４，７，１０の位置の４ヶ所のメソ位について、すべてにカチオン性官能基Ｚが結合する場合は１つの色素体当たり４個、対称関係あるいは鏡像関係にあるメソ位の２ヶ所に結合する場合は１つの色素体当たり２個になる。また、図１ａのポルフィリンにおいて、２，３，５，６，８，９，１１，１２の位置の８ヶ所のベータ位について、すべてにカチオン性官能基Ｚが結合する場合は１つの色素体当たり８個になる。さらに、図１ａのポルフィリンにおいて、メソ位とベータ位のすべてにカチオン性官能基が結合する場合は１つの色素体当たり１２個になる。
【００２３】
連結基Ｙは、上記Ｘと上記Ｚとを繋げるためのものであり、図１ａに示すように置換基を有してもよい炭素、酸素及び／又は窒素原子を含んでなる骨格主鎖ないし環状構造を有する。但し、連結基Ｙは、本発明にとって任意の要素であり、色素体ＸはＺと直接結合してもよい。
【００２４】
連結基Ｙは、色素体Ｘと官能基Ｚとの物理的距離を好適化する役割を担う。ＸとＺとの距離の間の最適化とは、色素体Ｘから伸びたＸ間の距離を調節すること（通常なら核酸のリン酸基間のピッチと対応することが好ましいと考えられる）であり、これは色素体Ｘの大きさにも依存する。例えば、図１ａに示したように比較的大きな色素体では、複数ある官能基Ｘの結合部位が好都合なことに核酸のリン酸基ピッチに近い距離を持つことがあり、このような場合、連結基Ｙは不要であるか又は比較的短いものでよいと考えられる。典型的な連結基には、フェニレン基、アルキレン基又はそれらの組み合わせ等がある。
【００２５】
上記の観点及び合成の容易性を考慮すると、色素体Ｘが４つの官能基Ｚとメソ位で結合したポルフィリンの例では、連結基Ｙは１つのフェニレン基であることが好ましい。ポルフィリンの例では、８つのベータ位に前記のような−Ｙ−Ｚ基をさらに結合させてもよい。またアルキレン基には色素体Ｘのスタック構造を安定させ、また溶媒への溶解度を向上させる効果があり、その主鎖炭素数は０〜１００、好ましくは０〜２０である。当業者であれば、色素体Ｘの大きさとカチオン性官能基Ｚの位置等に適したあらゆる種類の連結基Ｙ及びカチオン基並びにそれらの結合位置や個数を定法により設計して合成することができ、いずれも本発明の範囲内である。
【００２６】
連結基Ｙは、芳香族、縮合環又はヘテロ環のような拡がりを持つ構造を有するとこれらが色素体の共役系面に対して立体角を有する場合があり、色素体Ｘがリン酸基を有する塩基対間にインターカレートすることを防ぐ立体障害物として役立つ。そのような塩基対間へのインターカレーションは色素体Ｘの円二色性の検出を妨げる要因となるため、連結基Ｙに上記のような構造を持たせることが好ましいと考えられる。そのような連結基Ｙとしては、フェニレン基、アルキレン基、ピリジレン基、又はそれらのあらゆる組み合わせが挙げられる。本発明者の検討によれば、特に好ましいと考えられる態様のカチオン性色素化合物には、ポルフィリンの４つあるメソ位に連結基Ｙとして各々１つのフェニレン基を有し、且つそれらのうち２つの隣接するフェニレン基にカチオン基Ｚが結合した構造のものが含まれる。
【００２７】
図１ａに示すように、好ましいカチオン性色素化合物の具体例としては、ポルフィリンのメソ位にフェニレン基をもち、更にそのフェニレン基に官能基Ｚとして４級アンモニウム基を持つものが好ましい。ポルフィリンから伸びる連結基Ｙとしては、官能基Ｚが組み込まれたフェニレン基、又は単一のフェニレン基、或いはフェニレン基と官能基Ｚとの間に更なるアルキレン基（一部にアルコキシ残基又はアミド残基を有してもよい）等を有するものが好ましい。カチオン性色素化合物は市販のものを利用するか、または合成により得ることができる。一般的なポルフィリン骨格をもつカチオン性色素化合物の合成方法は文献記載の一般的な合成手法を用いて合成することができる（文献：The Porphyrin Handbook; Kadish, K. M., Smith, K. M., Guilard, R., Eds.; Academic Press: San Diego, 2000; Vol. 1）。図１ｂの式Ｉ−ＩＶに合成概要を示す。式Ｉはカチオン性官能基Ｒ４を１つだけ有するカチオン性色素化合物の合成方法を、式ＩＩはカチオン性官能基Ｒ４を３つ有するカチオン性色素化合物の合成方法を、式ＩＩＩはカチオン性官能基Ｒ４を２つ有するカチオン性色素化合物の合成方法を、式ＩＶはカチオン性官能基Ｒ４を４つ有するカチオン性色素化合物の合成方法をそれぞれ示している。
式Ｉ，ＩＩ，ＩＶにおいては、出発原料であるピロール誘導体とアルデヒド化合物を酸（トリフルオロ酢酸、三フッ化ホウ素エーテル錯体等が好適に用いられる）存在下にて反応させた後に、酸化剤（クロラニル、2,3-ジクロロ-5,6-ジシアノ-1,4-ベンゾキノンが好適に用いられる）を用いて酸化し、環状化合物であるポルフィリンを得る。その後に前駆カチオン性官能基前駆体であるＲ３をカチオン性官能基Ｒ４に公知の方法を用いて変換する。式ＩＩＩにおいては、出発原料であるピロール誘導体とアルデヒド化合物を酸（トリフルオロ酢酸、三フッ化ホウ素エーテル錯体等が好適に用いられる）存在下にて反応させ、まずジピロメタンを合成する。次いで、カチオン性官能基前駆体Ｒ３を有するアルデヒド化合物と酸存在下にて反応させた後に酸化して環状化合物であるポルフィリンを得る。その後にカチオン性官能性前駆体であるＲ３をカチオン性官能基Ｒ４に公知の方法を用いて変換する。
【００２８】
本発明のカチオン性色素化合物は、以下のようにして使用することができる。
上記のカチオン性色素化合物は、反応水溶液中において、少なくともカチオン性色素の一部であるカチオン基で、核酸２重螺旋構造の表面上の負電荷部分にイオン結合し且つ／又は静電的に結合し、こうして２重螺旋に沿って互いに隣接した少なくとも２分子の色素化合物間の相互作用が分光学的特性に影響を与えると考えられる。
【００２９】
図２に核酸２重鎖へ結合したカチオン性色素化合物を示す。同図においてカチオン性色素化合物は、各カチオン基を介して核酸２重鎖のアニオン基（典型的には各リン酸基）のような負電荷部位にイオン結合し得るので、核酸（例えばＤＮＡ）を芯線としてその周囲を螺旋状に被覆した芯鞘構造をとることができる。カチオン性色素は、そのような芯鞘構造の鞘部分を構成すると特徴的なキラリティー及び／又は波長シフトを生じる。特徴的なキラリティーとしては、円二色性及び／又は蛍光偏光特性が挙げられる。それら分光学的特性は、螺旋状の芯鞘構造において互いに規則的に隣接した色素体間の物理化学的な相互作用に依拠するものである。
【００３０】
なお一般に色素は、単分子でキラリティー等を有さないが、２分子以上間の相互作用により吸収する波長領域が変化することが知られており、この波長の変化が大きいほど、検出に適している。しかしながら、本発明によれば、単分子でキラリティーを持つカチオン性色素であっても、核酸２重鎖への結合により上記のような螺旋形態を生じるので、これに起因する波長シフト或いは特徴的なキラリティーを発現でき、核酸２重鎖に結合した色素であるか否かを判別可能となる。
【００３１】
本発明を適用できる検出方法としては、サザンハイブリダイゼーションに代表されるような、核酸プローブと標的核酸とのハイブリッドを検出するハイブリダイゼーション法が挙げられる。ハイブリダイゼーション条件下に共存させたカチオン性色素化合物は、形成されたハイブリッド核酸を覆って螺旋状鞘構造を形成し、ＣＤ分光器で吸収波長にＣＤピークが観測される。ハイブリッドを形成しない場合、つまりＤＮＡが１重鎖のままであれば、螺旋状芯鞘構造は形成されないので、カチオン性色素の吸収波長に円二色性ピークや波長シフト等は現れない。
【００３２】
ハイブリダイゼーション反応を行う本法ないし装置は、好ましくは、反応溶液を加熱する工程ないし手段を有し、必要に応じて冷却工程ないし手段をも有し得る。すなわち、反応溶液の加熱により、２重鎖ＤＮＡを解離して１重鎖とし、次にこれを相補的なＤＮＡプローブとハイブリダイズさせ得る。このようなハイブリダイゼーション反応において、カチオン性色素化合物は共存してもよいし、そのハイブリダイゼーション後に添加してもよい。ハイブリダイズ反応溶液中のカチオン性色素の濃度は、数ｎｍｏｌ／Ｌ〜数μｍｏｌ／Ｌであり、好ましくは２μｍｏｌ／Ｌである。
【００３３】
本発明の方法又は装置は、ＤＮＡプローブや標的ＤＮＡを有する検体等の反応体を溶液中に遊離させて行うこともできるし、ＤＮＡプローブや標的ＤＮＡを有する検体を固体担体に固定する手段及び必要に応じて反応後の固体担体を洗浄する手段を設け、ハイブリダイゼーションしていない試料を除去するとしてもよい。上述の通りハイブリッドに結合したカチオン性色素の検出にはＣＤ分光器を使用できるが、このとき１重鎖のＤＮＡや、結合していないカチオン性色素は、鞘構造形成時のカチオン性色素に見られるＣＤピークを有さないので、そのままの状態で検出可能である。したがって、本発明によると、固体担体を使用するか否かにかかわらず、検出に先立つ洗浄工程が不要になるという利点がある。ＤＮＡ等を反応溶液中で固体担体上にハイブリダイズさせる場合には、上記のようにハイブリダイズ反応前にＤＮＡ等を固体担体に固定する工程を設けるとよい。
【００３４】
ＤＮＡ等の固体担体に固定する方法としては、ＤＮＡチップの製造分野等において公知のあらゆる方法を使用できる。本法に使用できる前記固体担体としては、核酸等を固定できるものであればいずれも使用できる。固体担体の形状は、基板状、ビーズ状、ホール状、サンドウィッチ状などがある。固体担体上の試料をＣＤで検出する方法には、ＣＤを生じさせる照射光を固体担体の表面で反射させて検出する方法、固体担体を透過させて検出する方法がある。透過させる場合は、固体担体は透明であることが望ましい。好適にはガラス、ＩＴＯなどが挙げられる。また、反射により検出する場合の基板には、グラファイト、マイカ、シリコンウェハなどが挙げられる。また、他の固体担体の例として、セラミックス、ポリマー、布、紙等のような多孔性材料やビーズなどを挙げることができる。
【００３５】
核酸プローブとしては、生物試料から抽出したＤＮＡを制限酵素で切断し、電気泳動などによる分離などで精製したＤＮＡ断片、あるいは化学合成したＤＮＡのいずれをも用い得る。核酸プローブ配列は、周知の配列決定法に従いあらかじめ決定しておくことが好ましい。
【実施例】
【００３６】
（１）ポルフィリン誘導体色素の２重鎖DNAへの結合の検出
合成DNA（Poly（dA)/Poly(dT)，50mers.）は、アマシャムファルマシアバイオテク社製、濃度25 A260 units、対イオンがナトリウム塩のものを用いた。上記DNAをMilli-Q（登録商標）水を１２０℃で２０分間殺菌処理したもので0.125 unitsに調整し、１日放置した後、ＣＤを測定した。このときのＣＤスペクトルは260nm近傍にDNAの螺旋形状に由来するＣＤピークを示した（図３参照）。
【００３７】
次に、カチオン性色素としてフルカ社製のTetrakis（4-N-trimethylamino-phenyl）porphine tetra (p-toluenesulfonate）（以下、TMAPと記す）の粉体を2×10-6 mol/Lの水溶液に調整し、ＣＤを測定した。このときのＣＤスペクトルにはキラリティーを示すＣＤピークは現れなかった（図４参照）。
【００３８】
次に、Poly(dA)/Poly(dT)の0.25unit.とTMAPの4×10-6mol/Lを等量混合し、室温で放置後、ＣＤを200乃至600nmの範囲で測定した（図５参照）。図５では、TMAPのSoret帯410nm近傍においてDNAのみ（図３）やTMAPのみ（図４）の測定では見られなかったシャープなＣＤピークが確認された。この部分で、ＣＤスペクトルは右旋のコットン効果を示して交互に（図面では上下方向に）振れており、螺旋構造を反映したTMAP間の相関を示している。また、同時に測定しているUV/VISに吸収ピークが、TMAPのみのときのSoret帯の吸収波長から、DNAと混合することにより、長波長側にシフトしている。かくして「Kashaの理論」から、TMAPのポルフィリン骨格はhead-to-tailの配向をしていることが確認され、TMAPの螺旋構造によるＣＤピークであることが確認された。
（２）フタロシアニン誘導体色素の２重鎖ＤＮＡへの結合の検出
カチオン性色素としてSIGMA ALDRICH製のPropyl Astra Blue Iodide（以下、PABIと記す）の粉体をDimethyl sulfoxide（以下、DMSOと記す）溶媒（SIGMA-ALDRICH製）を用いて２×１０−６mol/Lの溶液に調整し、ＣＤを測定した。このときのＣＤスペクトルにはキラリティーを示すＣＤピークは現れなかった（図６参照）。
合成ＤＮＡ（Poly(dG)/Poly(dC), 50mers.）はアマシャムファルマシアバイオテク社製、濃度２５A260units、対イオンがナトリウム塩のものを用いた。上記DNAを、Milli-Q（登録商標）水を１２０℃で２０分間殺菌処理したもので0.25unitsに調整し、室温で放置した後、ＣＤを250乃至800nmの範囲で測定した（図７参照）。図７では、PABIのQ帯600乃至700nm近傍においてPABIのみでは見られなかったＣＤピークが確認された。ＤＮＡとフタロシアニンの混合により、キラリティーが発現することが確認された。
【００３９】
発明の効果
本発明のカチオン性色素化合物は、核酸の２重鎖と結合した場合にのみ発現するキラリティーを有し、１重鎖の核酸や未反応の色素化合物と分離せずとも特異的検出でき、例えば未反応の化合物や色素を洗い流す洗浄工程を不要とするなどの利点を有する。このことから、本発明のカチオン性色素化合物は、２重鎖核酸構造のみを簡便に且つ高感度に検出することに有用である。
【図面の簡単な説明】
【００４０】
【図１ａ】本発明のカチオン性色素化合物の分子構造を例示した図である。
【図１ｂ−１】本発明のカチオン性色素化合物の合成方法を例示した図である。
【図１ｂ−２】本発明のカチオン性色素化合物の合成方法を例示した図である。
【図２】本発明のカチオン性色素化合物が結合した状態の２重鎖ＤＮＡを示す模式図である。
【図３】２重鎖ＤＮＡのみを含む試料のＣＤスペクトルを示す線図である。
【図４】ポルフィリン誘導体カチオン性色素化合物のみを含む試料のＣＤスペクトルを示す線図である。
【図５】２重鎖ＤＮＡとポルフィリン誘導体カチオン性色素化合物とが共存する試料のＣＤスペクトルを示す線図である。
【図６】フタロシアニン誘導体カチオン性色素化合物のみを含む試料のＣＤスペクトルを示す線図である。
【図７】２重鎖ＤＮＡとフタロシアニン誘導体カチオン性色素化合物とが共存する試料のＣＤスペクトルを示す線図である。
【図１ａ】
2007504456.tif 000002
【図１ｂ−１】
2007504456.tif 000003
【図１ｂ−２】
2007504456.tif 000004
【図２】
2007504456.tif 000005
【図３】
2007504456.tif 000006
【図４】
2007504456.tif 000007
【図５】
2007504456.tif 000008
【図６】
2007504456.tif 000009
【図７】
2007504456.tif 000010
【手続補正書】
【提出日】平成17年8月5日(2005.8.5)
【手続補正１】
【補正対象書類名】特許請求の範囲
【補正対象項目名】全文
【補正方法】変更
【補正の内容】
【特許請求の範囲】
【請求項１】
カチオン性色素化合物を使用することによりハイブリッド核酸を検出する方法であって、下記の工程：
カチオン基と、該カチオン基と連結した色素体とを含んでなるカチオン性色素化合物を提供する工程、ここで、該色素体は、窒素原子を含む複素多環構造を有する；
核酸プローブと、標的核酸を含む試料とをハイブリダイゼーション条件下で接触させて、該核酸プローブと標的核酸とのハイブリッド核酸を形成させる工程；
該カチオン性色素化合物を、該ハイブリダイゼーションの前、ハイブリダイゼーション中、又はハイブリダイゼーション後に添加することにより、該ハイブリッド核酸上に該カチオン性色素化合物を結合させる工程；及び
該ハイブリッド核酸上に結合した該カチオン性色素化合物の円偏光二色性を測定する工程：
を含んでなる方法。
【請求項２】
前記カチオン性色素化合物が下記一般式（Ｉ）：
Ｘ−（Ｙ−Ｚ）ｎ        （Ｉ）
（式中、ｎは１〜１２、Ｘは少なくとも４つのピロール環を有する色素体、Ｙは連結基或いはＸとＺの間の直接結合、Ｚはカチオン性の官能基あるいはカチオン性に変換し得る官能基である）
で表される、請求項１に記載の方法。
【請求項３】
前記色素体が、ポルフィリン、ポルフィリン誘導体、フタロシアニン、及びフタロシアニン誘導体からなる群から選択される、請求項１に記載の方法。
【請求項４】
前記標的核酸或いは前記核酸プローブを有する検出対象物を固相担体上に固定し、前記検出対象物と前記核酸プローブとをハイブリダイゼーション条件下で接触させる工程、をさらに含む請求項１に記載の方法。
【請求項５】
カチオン性色素化合物を使用することによりハイブリッド核酸を検出する装置であって、
核酸プローブと、標的核酸を含む試料とをハイブリダイゼーション条件下で接触させて、該核酸プローブと該標的核酸とのハイブリッド核酸を形成させる手段；
カチオン性色素化合物を、該ハイブリダイゼーションの前、ハイブリダイゼーション中、又はハイブリダイゼーション後に添加することにより、該ハイブリッド核酸上に該カチオン性色素化合物を結合させる手段、ここで、該カチオン性色素化合物は、カチオン基と、該カチオン基と連結した色素体とを含んでなり、該色素体は、窒素原子を含む複素多環構造を有する；及び
該ハイブリッド核酸上に結合した該カチオン性色素化合物の円偏光二色性を測定する手段：
を含んでなる上記装置。
【国際調査報告】
2007504456.tif 000011
2007504456.tif 000012
2007504456.tif 000013